(57)【特許請求の範囲】
【請求項１】
電源電圧の入力に基づいて所定の機能を実行する機能実行装置において、
前記電源電圧の変動パターンを検出し、この検出した前記変動パターンに対応する所定の制御信号を出力する制御部と、
互いに異なる前記所定の制御信号を受け、対応する所定の制御を実施する複数の機能部と、
を備えたことを特徴とする機能実行装置であって、
前記制御部は、
前記電源電圧を入力し、この入力した前記電源電圧に応じたデジタル信号を出力する電圧モニタ部と、
前記デジタル信号に基づき前記変動パターンを検出し、前記変動パターンにおける電源電圧の最大値及び最小値に基づいて前記所定の制御信号を判別し、判別された前記所定の制御信号をこの信号に対応する前記機能部へ出力する制御機能部と、
を備えたことを特徴とする機能実行装置。
【請求項２】
所定の変動パターンを格納した格納部を、更に備え、
前記制御機能部は、前記検出した変動パターンが、前記格納部に格納された前記所定の変動パターンか否かを調べ、調べた結果が前記所定の変動パターンの場合、この所定の変動パターンに対応する前記所定の制御信号をこの信号に対応する前記機能部へ出力する、
ことを特徴とする請求項１に記載の機能実行装置。
【請求項３】
前記所定の変動パターンは、同一の値が隣り合うことのない複数の指定電圧値の変遷を示し、隣り合った指定電圧値の電圧差は所定の電圧差以上であり、前記指定電圧値に対応する前記電源電圧の持続時間は所定の時間である、
ことを特徴とする請求項２に記載の機能実行装置。
【請求項４】
所定範囲の前記電源電圧を入力して所定の二次電圧を出力する電源部を、更に備え、
前記制御部、及び前記複数の機能部は、前記電源部が出力する前記二次電圧に基づいて稼働する、ことを特徴とする請求項１乃至３のいずれか1項に記載の機能実行装置。
【請求項５】
前記機能実行装置は通信装置を含み、前記所定の機能は通信機能であり、前記複数の機能部を稼働させることにより前記通信機能を達成する、
ことを特徴とする請求項１乃至４のいずれか1項に記載の機能実行装置。
【請求項６】
前記所定の制御は、初期化であり、前記複数の機能部は、対応する前記所定の制御信号をそれぞれ受け、初期化をそれぞれ実施する、
ことを特徴とする請求項１乃至５のいずれか1項に記載の機能実行装置。
【請求項７】
電源電圧の入力に基づいて所定の機能を実行する複数の機能部を有する機能実行装置の制御方法において、
前記電源電圧の変動パターンを検出し、
この検出した前記変動パターンに対応する所定の制御信号を生成し、
前記複数の機能部により、互いに異なる前記所定の制御信号に対応する所定の制御をそれぞれ実施する、
ことを特徴とする機能実行装置の制御方法であって、さらに、
入力した前記電源電圧に応じたデジタル信号に基づき前記変動パターンを検出し、
前記変動パターンにおける前記電源電圧の最大値及び最小値に基づいて前記所定の制御信号を判別し、
判別された前記所定の制御信号をこの信号に対応する前記機能部へ出力する、
ことを特徴とする機能実行装置の制御方法。
【請求項８】
前記検出した変動パターンが、所定の変動パターンか否かを調べ、
調べた結果が前記所定の変動パターンの場合、この所定の変動パターンに対応する前記所定の制御信号を出力する、
ことを特徴とする請求項７に記載の機能実行装置の制御方法。
【請求項９】
前記所定の変動パターンは、同一の値が隣り合うことのない複数の指定電圧値の変遷を示し、隣り合った指定電圧値の電圧差は所定の電圧差以上であり、前記指定電圧値に対応する前記電源電圧の持続時間は所定の時間である、
ことを特徴とする請求項８に記載の機能実行装置の制御方法。
【発明の詳細な説明】
【技術分野】
【０００１】
本発明は、機能実行装置、及び機能実行装置の制御方法に関し、電源電圧の変動パターンを用いて制御する機能実行装置、及び機能実行装置の制御方法に関する。
【背景技術】
【０００２】
近年、通信網の発達により屋外の高所に設置される中継基地等の小型無線装置が増加している。このような場所に設置される装置は、ＰｏＥ（Ｐｏｗｅｒ  ｏｖｅｒ  Ｅｔｈｅｒｎｅｔ（登録商標）（Ｐｏｗｅｒ  ｏｎ  Ｅｔｈｅｒ））のような、データ線と電力線をＥｔｈｅｒｎｅｔ用ケーブルで共用化する等により、外部との接続を最小限に制限して小型軽量に設計されている。装置の小型軽量設計は、装置の必須機能の確保を優先するため、保守用の回路等の実装スペースを十分に確保できない場合が多い。また、中継基地等の小型無線装置は、屋外の高所に設置されている等のため保守者によるアクセスが制限されるので、リセットスイッチ等の制御ボタンを容易には押すことができない。また、ＬＥＤ（Ｌｉｇｈｔ  Ｅｍｉｔｔｉｎｇ  Ｄｉｏｄｅ）等による状態監視も容易にはできない。このように、屋外の高所に設置される中継基地等の小型無線装置の保守には制限が多く、このような装置は保守しにくくなってきている。そこで、このような装置を保守するために、電力線で供給される電源電圧の変動パターンを利用して装置を制御することが考えられつつある。
【０００３】
電源電圧の変動パターンを利用して装置を制御する技術が特許文献１に開示されている。特許文献１に開示の認証システムは、起動時に、供給されている電源電圧に係る電圧値データを連続して取得し、この取得した電圧値データと、認証データである所定の電源電圧の変動パターン（電圧パターンデータ）とを所定の関数により比較演算する。そして、この所定の関数の演算結果が認証できたことを示すときに、この認証システムを適用している装置を特殊起動モードで起動する。特殊起動モードは、メンテナンスモード、テストモード、設定モード等である。所定の関数の演算結果が認証できなかったことを示すときには、この認証システムを適用している装置を通常起動モードで起動する。この認証システムは、ＰＣ（Ｐｅｒｓｏｎａｌ  Ｃｏｍｐｕｔｅｒ）、ＷＳ（Ｗｏｒｋｓｔａｔｉｏｎ）、ゲーム機、ＰＤＡ（Ｐｅｒｓｏｎａｌ  Ｄｉｇｉｔａｌ  Ａｓｓｉｓｔａｎｔ）、携帯電話機等に適用可能である。
【先行技術文献】
【特許文献】
【０００４】
【特許文献１】特開２００９−０８７２５８号公報
【発明の概要】
【発明が解決しようとする課題】
【０００５】
上述した特許文献１に開示の認証システムは、起動時に、電源電圧の変動が所定の変動パターンであった場合、認証できたとして通常起動モードではなく特殊起動モードでこの認証システムを適用している装置を起動するようにしている。このように、特許文献１の認証システムは、電源電圧の所定の変動パターンの検出に基づき、起動モードを選択するのみであるので、この変動パターンの検出に基づき、装置を制御することはできない。
【０００６】
本発明の目的は、上記課題を解決して、電源電圧の所定の変動パターンの検出に基づき、装置を制御することができる機能実行装置、及び機能実行装置の制御方法を提供することである。
【課題を解決するための手段】
【０００７】
本発明の機能実行装置は、電源電圧の入力に基づいて所定の機能を実行する機能実行装置において、前記電源電圧の所定の変動パターンを検出し、この検出した前記変動パターンに対応する所定の制御信号を出力する制御部と、互いに異なる前記所定の制御信号を受け、対応する所定の制御を実施する複数の機能部と、を備えている。
【０００８】
本発明の機能実行装置の制御方法は、電源電圧の入力に基づいて所定の機能を実行する複数の機能部を有する機能実行装置の制御方法において、前記電源電圧の所定の変動パターンを検出し、この検出した前記変動パターンに対応する所定の制御信号を生成し、前記複数の機能部により、互いに異なる前記所定の制御信号に対応する所定の制御をそれぞれ実施する、ようにしている。
【発明の効果】
【０００９】
本発明によれば、電源電圧の所定の変動パターンの検出に基づき、装置を制御することができる機能実行装置、及び機能実行装置の制御方法を提供することができる。
【図面の簡単な説明】
【００１０】
【図１】本発明の第１の実施の形態に係る機能実行装置の一例を示す図である。
【図２】本発明の第２の実施の形態に係る機能実行装置の一例を示す図である。
【図３】本発明の第２の実施の形態に係る機能実行装置の動作の一例を示すフローチャートである。
【発明を実施するための形態】
【００１１】
次に、本発明の実施の形態について図面を参照して説明する。
（第１の実施の形態）
図１は、本発明の第１の実施の形態に係る機能実行装置の一例を示す図である。
【００１２】
本実施の形態に係る機能実行装置１は、制御部２と、複数の機能部３と、により構成される。
【００１３】
機能実行装置１は、電源電圧の入力に基づいて所定の機能を実行する、例えば、屋外の高所に設置される中継基地等の小型無線装置（通信装置）である。制御部２は、電源電圧の所定の変動パターンを検出し、この検出した変動パターンに対応する所定の制御信号を出力する。複数の機能部３は、制御部２から互いに異なる所定の制御信号を受け、この所定の制御信号に対応する所定の制御をそれぞれ実施する。
【００１４】
次に、本実施の形態の機能実行装置の動作を説明する。
【００１５】
機能実行装置１に外部から電源電圧が供給されると、機能実行装置１は起動し、複数の機能部３を動作させて所定の機能を実行する。例えば、機能実行装置１が通信装置の場合は、通信機能を実行する。
【００１６】
制御部２は、機能実行装置１に供給される電源電圧の変動を検出し、この検出した変動パターンが、所定の変動パターンであるか否かを調べる。調べた結果が、この検出した変動パターンが所定の変動パターンである場合には、この所定の変動パターンに対応する所定の制御信号を、この所定の制御信号に対応する機能部３へ出力する。
【００１７】
複数の機能部３の各機能部３は、制御部２から対応する所定の制御信号を受け、この所定の制御信号に対応する所定の制御をそれぞれ実施する。所定の制御は、例えば、自身の機能部３の初期化（リセット）である。
【００１８】
上記のように、機能実行装置１内のある機能部３（機能部Ａ）を制御したい場合、機能実行装置１に外部から供給する電源電圧に、この機能部Ａに対応する所定の変動を加える。このことにより、この機能部Ａを制御する。
【００１９】
このように、本発明の第１の実施の形態によれば、制御部により、電源電圧の所定の変動パターンを検出し、この検出した変動パターンに対応する所定の制御信号を出力する。そして、複数の機能部により、制御部から互いに異なる所定の制御信号を受け、対応する所定の制御を実施する。このため、電源電圧の所定の変動パターンの検出に基づき、装置を制御することができる。
（第２の実施の形態）
図２は、本発明の第２の実施の形態に係る機能実行装置の一例を示す図である。
【００２０】
本発明の第２の実施の形態は、第１の実施の形態の制御部２を電圧モニタ部６と制御機能部７に分け、格納部４と、電源部５を加えて第１の実施の形態をより具体化したものである。したがって、主に第１の実施の形態と相違する部分について説明する。
【００２１】
本実施の形態に係る機能実行装置１は、制御部２と、複数の機能部３と、格納部４と、電源部５とにより構成される。制御部２は、電圧モニタ部６と制御機能部７とにより構成される。
【００２２】
機能実行装置１は、外部からの電源電圧の入力に基づいて所定の機能を実行する、例えば、屋外の高所に設置される中継基地等の小型無線装置（通信装置）である。以後、機能実行装置１を通信装置と記載する。所定の機能は例えば通信機能であり、通信装置１は、複数の機能部３を稼働させることにより通信機能を達成する。複数の機能部３は、例えば、インタフェース機能部、信号処理機能部、ＭＯＤＥＭ（ｍｏｄｕｌａｔｏｒ−ｄｅｍｏｄｕｌａｔｏｒ）機能部である。インタフェース機能部は、例えば通信機能に接続された外部端末装置から外部入力を受け、信号処理機能部で多重化などのデジタル処理をし、ＭＯＤＥＭ機能部で変調して無線等の対向装置に送信する。あるいは、ＭＯＤＥＭ機能部は、対向装置からの信号を受信して復調し、この復調した信号を信号処理機能部で分離などのデジタル処理をし、インタフェース機能部で外部端末装置へ出力する。
【００２３】
制御部２内の電圧モニタ部６は、外部から電源電圧を入力し、この入力した電源電圧に応じた電圧値を示す所定のビット数（例えば、６ビット）のデジタル信号を出力する。このビット数は６ビットに限らず、通信装置１が使用する電圧値の大きさにより適宜変更して良い。
【００２４】
制御部２内の制御機能部７は、このデジタル信号に基づき電源電圧の変動を検出し、この検出した変動のパターンが、所定の変動パターンであるか否か、すなわち、予め所定の変動パターンを示す情報を格納した格納部４に格納されているか否かを調べる。制御機能部７は、この検出した変動パターンが所定の変動パターンである場合には、この所定の変動パターンに対応する所定の制御信号を、この所定の制御信号に対応する機能部３へ出力する。各機能部３は、重なることなく各所定の変動パターン及び各所定の制御信号に対応づけられている。
【００２５】
複数の機能部３、例えば、インタフェース機能部、信号処理機能部、ＭＯＤＥＭ機能部の各機能部は、制御機能部７から互いに異なる所定の制御信号を受け、この所定の制御信号に対応する所定の制御をそれぞれ実施する。所定の制御は、例えば初期化（リセット）であり、複数の機能部３は、対応する所定の制御信号をそれぞれ受け、初期化をそれぞれ実施する。
【００２６】
格納部４は、少なくとも複数の機能部３の個数の所定の変動パターンを示す情報を予め格納する。所定の変動パターンを示す情報は、同一の値が隣り合うことのない複数の指定電圧値の変遷を示し、隣り合った指定電圧値の電圧差は所定の電圧差以上（例えば、５Ｖ以上）であり、指定電圧値に対応する電源電圧の持続時間は所定の時間（例えば、２秒）である。例えば、インタフェース機能部のリセットを示す所定の変動パターンは、−４０Ｖ→−４５Ｖ→−４０Ｖ→−４５Ｖ、信号処理機能部のリセットを示す所定の変動パターンは、−４５Ｖ→−５０Ｖ→−４５Ｖ→−５０Ｖである。また、ＭＯＤＥＭ機能部のリセットを示す所定の変動パターンは、−５０Ｖ→−５５Ｖ→−５０Ｖ→−５５Ｖである。これらの電源電圧の変動パターンは、上記に限らず、機能実行装置１により適宜変更して良い。
【００２７】
また、格納部４に格納されている所定の変動パターンを示す情報は、通信装置１が、例えば、他の通信装置等の対向装置や通信装置１に接続した外部端末装置からのコマンドを受け、例えば、書き換え機能部（不図示）を介して、変更、追加、削除等を行うことができる。
【００２８】
電源部５は、外部より所定範囲の電源電圧（例えば、−４０Ｖ〜−６０Ｖ）を入力して所定の二次電圧（例えば、７Ｖ）を出力する。これらの電圧値は、上記に限らず、機能実行装置１により適宜変更して良い。制御部２（電圧モニタ部６、制御機能部７）、及び複数の機能部３は、電源部５が出力する二次電圧に基づいて稼働する。
【００２９】
次に、本実施の形態の機能実行装置の動作を、図３を使用して説明する。
【００３０】
図３は、本発明の第２の実施の形態に係る機能実行装置の動作の一例を示すフローチャートである。
【００３１】
図３のステップＳ１では、通信装置１に外部から電源電圧（例えば、−４０Ｖ〜−６０Ｖの範囲）が供給されると、電源部５が、この電圧を所定の二次電圧（例えば、７Ｖ）に変換して装置内部に出力する。電源の供給に基づき、制御部２（電圧モニタ部６、制御機能部７）、及び複数の機能部３が稼働する。電圧モニタ部６は、常時、電源電圧を入力し、この電圧値をデジタル信号に変換して出力する。
【００３２】
図３のステップＳ２では、制御機能部７は、電圧モニタ部６が出力しているデジタル信号（電圧値）を入力し、電源電圧の変動パターンの検出を続け、変動パターンが検出されたときにステップＳ３へ進む。電源電圧の変動パターンとは、隣り合った電圧差が所定の電圧差以上（例えば、５Ｖ以上）であり、電源電圧の持続時間が所定の時間（例えば、２秒）であるパターンの検出である。従って、この変動パターン以外の変動は、雷などによる一時的な急激な変動、機能実行装置の設置環境に基づく雑音による変動等と判断する。
【００３３】
今回、例えば、保守者の操作により、通信装置１のある機能部３（例えば、信号処理機能部）を制御（例えば、リセット）する場合を想定し、通信装置１に対し外部から供給する電源電圧に、信号処理機能部に対応する所定の変動を加えるものとする。すなわち、保守者の操作により、例えば、電源電圧を、−４５Ｖ→−５０Ｖ→−４５Ｖ→−５０Ｖ（各電圧の保持時間は２秒）と変遷させ、この変遷した電源電圧を通信装置１に入力するものとする。このため今回は、変動パターンが検出され、ステップＳ３へ進む。
【００３４】
図３のステップＳ３では、制御機能部７は、ステップＳ２で検出した変動パターンが、所定の変動パターンであるか否か、すなわち、予め所定の変動パターンを示す情報を格納した格納部４に格納されているか否かを調べる。調べた結果が、検出した変動パターンが所定の変動パターンである場合には、ステップＳ４へ進む。調べた結果が、検出した変動パターンが所定の変動パターンでない場合には、この変動パターンの変動は、雷や雑音などにより発生した変動と判断してステップＳ２へ戻る。
【００３５】
今回は、ステップＳ２で検出した変動パターンが、所定の変動パターン（−４５Ｖ→−５０Ｖ→−４５Ｖ→−５０Ｖ（各電圧の保持時間は２秒））であるので、ステップＳ４へ進む。
【００３６】
図３のステップＳ４では、制御機能部７は、この所定の変動パターンに対応する所定の制御信号を、この所定の制御信号に対応する機能部３へ出力する。今回は、信号処理機能部に対してリセットを行うパターンであるので、所定の制御信号としてリセット信号を、所定の制御信号に対応する機能部３として信号処理機能部に出力する。
【００３７】
図３のステップＳ５では、所定の制御信号に対応する機能部３が、この所定の制御信号を受け、この所定の制御信号に対応する所定の制御を実施する。今回は、信号処理機能部が、制御機能部７からリセット信号を受け、自身の機能部３をリセットする。
【００３８】
このように、本発明の第２の実施の形態によれば、制御部により、電源電圧の所定の変動パターンを検出し、この検出した変動パターンに対応する所定の制御信号を出力する。そして、複数の機能部により、制御部から互いに異なる所定の制御信号を受け、対応する所定の制御を実施する。このため、電源電圧の所定の変動パターンの検出に基づき、装置を制御することができる。そして、装置への制御がリセットのときには、装置の電源をＯＦＦ／ＯＮせずに、保守対象となる被疑個所の機能部のみに対してリセット制御による復旧を試みることができる。
【００３９】
上記の実施形態の一部または全部は、以下の付記のように記載され得るが、以下には限られない。
（付記１）
電源電圧の入力に基づいて所定の機能を実行する機能実行装置において、
前記電源電圧の所定の変動パターンを検出し、この検出した前記変動パターンに対応する所定の制御信号を出力する制御部と、
互いに異なる前記所定の制御信号を受け、対応する所定の制御を実施する複数の機能部と、
を備えたことを特徴とする機能実行装置。
（付記２）
前記制御部は、
前記電源電圧を入力し、この入力した前記電源電圧に応じたデジタル信号を出力する電圧モニタ部と、
前記デジタル信号に基づき前記電源電圧の変動パターンを検出し、この変動パターンが前記所定の変動パターンの場合、この所定の変動パターンに対応する前記所定の制御信号をこの信号に対応する前記機能部へ出力する制御機能部と、
を備えたことを特徴とする付記１記載の機能実行装置。
（付記３）
前記所定の変動パターンを格納した格納部を、更に備え、
前記制御機能部は、前記検出した変動パターンが、前記格納部に格納された前記所定の変動パターンか否かを調べ、調べた結果が前記所定の変動パターンの場合、この所定の変動パターンに対応する前記所定の制御信号をこの信号に対応する前記機能部へ出力する、ことを特徴とする付記２記載の機能実行装置。
（付記４）
前記所定の変動パターンは、同一の値が隣り合うことのない複数の指定電圧値の変遷を示し、隣り合った指定電圧値の電圧差は所定の電圧差以上であり、前記指定電圧値に対応する前記電源電圧の持続時間は所定の時間である、
ことを特徴とする付記３記載の機能実行装置。
（付記５）
所定範囲の前記電源電圧を入力して所定の二次電圧を出力する電源部を、更に備え、
前記制御部、及び前記複数の機能部は、前記電源部が出力する前記二次電圧に基づいて稼働する、ことを特徴とする付記１記載の機能実行装置。
（付記６）
前記機能実行装置は通信装置を含み、前記所定の機能は通信機能であり、前記複数の機能部を稼働させることにより前記通信機能を達成する、
ことを特徴とする付記１記載の機能実行装置。
（付記７）
前記所定の制御は、初期化であり、前記複数の機能部は、対応する前記所定の制御信号をそれぞれ受け、初期化をそれぞれ実施する、
ことを特徴とする付記１記載の機能実行装置。
（付記８）
電源電圧の入力に基づいて所定の機能を実行する複数の機能部を有する機能実行装置の制御方法において、
前記電源電圧の所定の変動パターンを検出し、
この検出した前記変動パターンに対応する所定の制御信号を生成し、
前記複数の機能部により、互いに異なる前記所定の制御信号に対応する所定の制御をそれぞれ実施する、
ことを特徴とする機能実行装置の制御方法。
（付記９）
入力した前記電源電圧に応じたデジタル信号に基づき前記電源電圧の変動パターンを検出し、
この変動パターンが前記所定の変動パターンの場合、この所定の変動パターンに対応する前記所定の制御信号をこの信号に対応する前記機能部へ出力する、
ことを特徴とする付記８記載の機能実行装置の制御方法。
（付記１０）
前記所定の変動パターンは、同一の値が隣り合うことのない複数の指定電圧値の変遷を示し、隣り合った指定電圧値の電圧差は所定の電圧差以上であり、前記指定電圧値に対応する前記電源電圧の持続時間は所定の時間である、
ことを特徴とする付記９記載の機能実行装置の制御方法。
（付記１１）
前記機能実行装置は、入力した所定範囲の前記電源電圧に基づき生成した所定の二次電圧により稼働する、ことを特徴とする付記８記載の機能実行装置の制御方法。
（付記１２）
前記機能実行装置は通信装置を含み、前記所定の機能は通信機能であり、前記複数の機能部を稼働させることにより前記通信機能を達成する、
ことを特徴とする付記８記載の機能実行装置の制御方法。
（付記１３）
前記所定の制御は、初期化であり、前記複数の機能部は、対応する前記所定の制御信号をそれぞれ受け、初期化をそれぞれ実施する、
ことを特徴とする付記８記載の機能実行装置の制御方法。
【符号の説明】
【００４０】
１  機能実行装置、通信装置
２  制御部
３  機能部
４  格納部
５  電源部
６  電圧モニタ部
７  制御機能部
【図１】
0006411809.tif 000002
【図２】
0006411809.tif 000003
【図３】
0006411809.tif 000004